(57)【特許請求の範囲】
【請求項１】
携帯端末内でメッセージを管理するための装置において、
添付ファイルが含まれた前記メッセージを送受信する通信部と、
前記添付ファイルが含まれたメッセージから、前記添付ファイルを獲得して該獲得された添付ファイルの形式を確認し、且つ、前記メッセージのメッセージ処理形式が送信メッセージ又は受信メッセージの何れであるかを確認するメッセージ分析部と、
前記メッセージ処理形式に基づいて、前記添付ファイルの形式の各々に対応する保存フォルダを定義し、
前記獲得された添付ファイルを該当する保存フォルダに保存するように処理する制御部と、を含むことを特徴とする装置。
【請求項２】
さらに、メッセージに含まれた添付ファイルに対する代表情報で構成した添付ファイルリストを生成する添付ファイルリスト生成部を含み、
前記代表情報は、添付ファイル名、添付ファイルの画像、メッセージタイトル、要約説明、プレビューファイルのうち少なくともいずれか１つを含むことを特徴とする請求項１に記載の装置。
【請求項３】
制御部は、添付ファイルリストを出力した後、ユーザにより添付ファイルのいずれが選択されたかを確認し、選択された添付ファイルを実行できるアプリケーションを用いて添付ファイルを実行することを特徴とする請求項１に記載の装置。
【請求項４】
制御部は、添付ファイルリストを生成した後、新しく送受信するメッセージが存在することを確認した場合、メッセージに含まれる添付ファイルを用いて添付ファイルリストを更新するように処理することを特徴とする請求項１に記載の装置。
【請求項５】
携帯端末内でメッセージを管理するための方法において、
添付ファイルが含まれた前記メッセージから該添付ファイルを獲得する過程と、
該獲得された添付ファイルの形式を確認する過程と、
前記メッセージのメッセージ処理形式が送信メッセージ又は受信メッセージの何れであるかを確認する過程と、
前記メッセージ処理形式に基づいて、前記添付ファイルの形式の各々に対応する保存フォルダを定義する過程と、
前記獲得された添付ファイルを該当する保存フォルダに保存する過程と、を含むことを特徴とする方法。
【請求項６】
さらに、メッセージに含まれた添付ファイルに対する代表情報から構成した添付ファイルリストを生成する過程を含み、
前記代表情報は、添付ファイル名、添付ファイルの画像、メッセージタイトル、要約説明、プレビューファイルのうち少なくともいずれか１つを含むことを特徴とする請求項５に記載の方法。
【請求項７】
携帯端末でメッセージを管理するための方法は、
添付ファイルリストを出力した後、ユーザにより添付ファイルのいずれが選択されたかを確認する過程と、
選択された添付ファイルを実行できるアプリケーションを用いて添付ファイルを実行する過程と、を含むことを特徴とする請求項５に記載の方法。
【請求項８】
携帯端末でメッセージを管理するための方法は、
添付ファイルリストを生成した後、新しく送受信するメッセージが存在することを確認した場合、メッセージに含まれる添付ファイルを用いて添付ファイルリストを更新する過程を含むことを特徴とする請求項５に記載の方法。
【請求項９】
１つ以上のプロセッサ、
メモリ、及び
前記メモリに保存されており前記１つ以上のプロセッサによって実行されるように構成される１つ以上のモジュールを含む電子装置であって、
前記モジュールは、
添付ファイルが含まれたメッセージから添付ファイルを獲得し、
該獲得された添付ファイルの形式を確認し、
前記メッセージのメッセージ処理形式が送信メッセージ又は受信メッセージの何れであるかを確認し、
前記メッセージ処理形式に基づいて、前記添付ファイルの形式の各々に対応する保存フォルダを定義し、
前記獲得された添付ファイルを該当する保存フォルダに保存することを特徴とする電子装置。
【請求項１０】
前記モジュールは、添付ファイル名、添付ファイルの画像、メッセージタイトル、要約説明、プレビューファイルのうち少なくともいずれか１つを代表情報として使用して添付ファイルリストを生成することを特徴とする請求項９に記載の電子装置。
【請求項１１】
前記モジュールは、添付ファイルリストを出力した後、ユーザの選択に応じてアプリケーションを用いて添付ファイルを実行することを特徴とする請求項９に記載の電子装置。
【請求項１２】
前記モジュールは、添付ファイルリストを生成した後、新しく送受信するメッセージが存在することを確認した場合、メッセージに含まれる添付ファイルを用いて添付ファイルリストを更新することを特徴とする請求項９に記載の電子装置。
【発明の詳細な説明】
【技術分野】
【０００１】
本発明は、携帯端末内、並びにその他の電子装置内で、マルチメディアメッセージに含まれた添付ファイルを管理する装置及び方法に関する。
【背景技術】
【０００２】
最近、携帯端末の急激な発展により、特に、無線による、音声通話及びその他の情報交換が可能な携帯端末は生活必需品になった。携帯端末の普及初期には単に携帯可能で、無線音声通話が可能なものと認識されたが、その技術の発展と無線インターネットの導入によって携帯端末は単なる電話通話又はスケジュール管理などの目的だけでなく、ゲーム、近距離無線通信を利用したリモコン、内蔵デジタルカメラによる画像撮影などに至るまで、その活用範囲が次第に広がってユーザの欲求を満たしている。
【０００３】
携帯端末の機能のうちメッセージ機能は音声通話に比べて比較的安価である長所を持つためユーザが多く使用している。
また、メッセージ機能は単なるショートメッセージから脱却して動画、写真、音楽ファイルなどが付加されたメッセージサービスであるマルチメディアメッセージサービス（以下、ＭＭＳという）に発展している。
【０００４】
ＭＭＳ（マルチメディアメッセージサービス）はテキスト、音楽、画像、動画、リンク情報などを複合的に構成して送受信できるようにするメッセージサービスであり、ユーザはマルチメディアメッセージ（以下、ＭＭＳメッセージ、又は、単に、メッセージともいう）を介して無線ポストカードや絵、動画、動画カード、地図、名刺などを伝送できる。
【０００５】
しかしながら、そのようなマルチメディアメッセージを使用するユーザは、受信又は発信したメッセージを選択した後、添付されたファイルの内容を確認しなければならないが、これはマルチメディアメッセージの使用において不便をもたらしている。
【０００６】
特に、携帯端末に保存されたマルチメディアメッセージの数が増えるほどユーザが確認しなければならないマルチメディアメッセージの数が増えることによりユーザが感じる不便は増加するようになる。
従って、上記のような問題点を解決するために携帯端末で予め保存されたマルチメディアメッセージに含まれたファイルを容易に確認するための装置及び方法が求められる。
【先行技術文献】
【特許文献】
【０００７】
【特許文献１】韓国特許公開第１０−２００５−０１０１０５０号
【発明の概要】
【発明が解決しようとする課題】
【０００８】
本発明は上述のような問題点を解決するためになされたものであり、本発明の目的は、携帯端末でマルチメディアメッセージに含まれた添付ファイルを管理するための装置及び方法を提供することにある。
【０００９】
本発明の他の目的は、携帯端末でマルチメディアメッセージに含まれた添付ファイルに対する情報を抽出してリスト化するための装置及び方法を提供することにある。
本発明のさらに他の目的は、携帯端末でマルチメディアメッセージに含まれた添付ファイルを代表する情報を抽出するための装置及び方法を提供することにある。
本発明のさらに他の目的は、携帯端末でマルチメディアメッセージに含まれた添付ファイルを端末の機能と連動させるための装置及び方法を提供することにある。
【課題を解決するための手段】
【００１０】
上述した目的を達成するための本発明の第１見地によれば、添付ファイルが含まれた前記メッセージを送受信する通信部と、前記添付ファイルが含まれたメッセージから、前記添付ファイルを獲得して該獲得された添付ファイルの形式を確認し、且つ、前記メッセージのメッセージ処理形式が送信メッセージ又は受信メッセージの何れであるかを確認するメッセージ分析部と、前記メッセージ処理形式に基づいて、前記添付ファイルの形式の各々に対応する保存フォルダを定義し、前記獲得された添付ファイルを該当する保存フォルダに保存するように処理する制御部と、を含むことを特徴とする。
【００１１】
上述した目的を達成するための本発明の第２見地によれば、添付ファイルが含まれた前記メッセージから該添付ファイルを獲得する過程と、該獲得された添付ファイルの形式を確認する過程と、前記メッセージのメッセージ処理形式が送信メッセージ又は受信メッセージの何れであるかを確認する過程と、前記メッセージ処理形式に基づいて、前記添付ファイルの形式の各々に対応する保存フォルダを定義する過程と、前記獲得された添付ファイルを該当する保存フォルダに保存する過程と、を含むことを特徴とする。
【００１２】
上述した目的を達成するための本発明の第３見地によれば、電子装置は、１つ以上のプロセッサ、メモリ、及び前記メモリに保存されており前記１つ以上のプロセッサによって実行されるように構成される１つ以上のモジュールを含む電子装置であって、
前記モジュールは、添付ファイルが含まれたメッセージから添付ファイルを獲得し、該獲得された添付ファイルの形式を確認し、前記メッセージのメッセージ処理形式が送信メッセージ又は受信メッセージの何れであるかを確認し、前記メッセージ処理形式に基づいて、前記添付ファイルの形式の各々に対応する保存フォルダを定義し、前記獲得された添付ファイルを該当する保存フォルダに保存することを特徴とする。
【発明の効果】
【００１３】
本発明によれば、携帯端末、又はその他の電子装置は、マルチメディアメッセージに含まれた添付ファイルに対する情報を抽出し、該添付ファイルを代表する情報をリスト化し、該リストから選択された添付ファイルを実行できるので、ユーザがマルチメディアメッセージに含まれた添付ファイルの内容をそのつど確認することなくアクセスでき、マルチメディアメッセージを効率的に且つユーザフレンドリーに管理できる。
【図面の簡単な説明】
【００１４】
【図１】本発明によってマルチメディアメッセージに含まれた添付ファイルのリストを管理する携帯端末の構成を示すブロック図である。
【図２】本発明の好ましい一実施形態による携帯端末で予め保存されたマルチメディアメッセージの添付ファイルに対する情報をリスト化する過程を示すフローチャートである。
【図３】本発明の他の好ましい実施形態による携帯端末で受信メッセージに対する添付ファイル情報をリスト化する過程を示すフローチャートである。
【図４】本発明のさらに他の好ましい実施形態による携帯端末で添付ファイルに対する代表情報をリスト化する過程を示すフローチャートである。
【図５】本発明の好ましい一実施形態による携帯端末でマルチメディアメッセージの添付ファイル情報をリスト化する過程を示す図である。
【図６】本発明の他の好ましい実施形態による携帯端末でマルチメディアメッセージの添付ファイル情報を更新する過程を示す図である。
【図７】本発明のさらに他の好ましい実施形態による携帯端末で代表情報を制御する過程を示す図である。
【図８】本発明のさらに他の好ましい実施形態による携帯端末でマルチメディアメッセージに対する代表情報をグループ化する過程を示す図である。
【図９】本発明のさらに他の好ましい実施形態による携帯端末でマルチメディアメッセージに対する代表情報をグループ化する過程を示す図である。
【図１０】本発明のさらに他の好ましい実施形態による携帯端末で発信メッセージに対する添付ファイル情報をリスト化する過程を示すフローチャートである。
【発明を実施するための形態】
【００１５】
以下、本発明の好ましい実施形態を添付された図面を参照して詳細に説明する。そして、本発明を説明するに当たって、関連する公知機能または構成に対する具体的な説明が本発明の要旨を不要に不明確にする恐れがあると判断される場合、その詳細な説明を省略する。
【００１６】
以下の説明では本発明による携帯端末でマルチメディアメッセージ（以下、ＭＭＳメッセージ、又は単に、メッセージともいう。ここで、「ＭＭＳ」はマルチメディアメッセージサービスの略である）に含まれた添付ファイルに対する情報をリスト化して管理するための装置及び方法に対して説明する。さらに、マルチメディアメッセージは画像、動画などのようなコンテンツが含まれたメッセージであり、Ｅメール、インスタントメッセージなどが含まれることがあり、携帯端末はメッセージの送受信が可能な移動通信端末、スマートフォン、ＰＤＡ、ＷｉＢｒｏ端末、パーソナルコンピュータ、ノートブックＰＣ、タブレット端末などのような情報機器を含む電子装置であることがある。また、このような装置のうち２種以上の機能を結合した装置を含む任意の携帯用電子装置であることがある。
【００１７】
図１は、本発明によってマルチメディアメッセージに含まれた添付ファイルのリストを管理する携帯端末の構成を示すブロック図である。
図１を参照すると、携帯端末は制御部１００、メッセージ分析部１０２、ファイルリスト生成部１０４、メモリ部１０６、入力部１０８、表示部１１０及び通信部１１２を含んで構成される。
先ず、携帯端末の制御部１００は携帯端末の全般的な動作を制御する。例えば、音声通話及びデータ通信のための処理及び制御を行い、通常の機能に加えて本発明によって制御部１００は予め保存されたマルチメディアメッセージに含まれた添付ファイルをリスト化して管理処理する。
【００１８】
さらに、制御部１００は受信するマルチメディアメッセージに含まれた添付ファイルを抽出して添付ファイルリストを更新処理する。
さらに、制御部１００は添付ファイルリストを出力した後、ユーザから添付ファイルを選択される場合、添付ファイルに該当するアプリケーションを用いて添付ファイルを実行処理する。
【００１９】
前記制御部１００の動作はメモリ部１０６に保存されている特定のソフトウェアモジュール（命令語セット）によって実行される。この時、ソフトウェアモジュールは前記制御部１００によって実行される。
【００２０】
メッセージ分析部１０２は制御部１００の制御を受けて予め保存されたマルチメディアメッセージ又は受信するマルチメディアメッセージに含まれた添付ファイルを獲得処理する。
さらに、メッセージ分析部１０２は予め保存されたマルチメディアメッセージ又は受信するマルチメディアメッセージのヘッダ情報を分析してマルチメディアメッセージに含まれた添付ファイルの形式を把握し、添付ファイル名、添付ファイルの画像、メッセージタイトル、要約説明、プレビューファイルなどのような添付ファイルに対する代表情報を獲得処理する。
【００２１】
一例として、メッセージ分析部１０２はマルチメディアメッセージのヘッダ情報のうちコンテンツタイプフィールドを確認して添付されたファイルの形式（例えば、オーディオデータ、ビデオデータ、画像データ、テキストデータ、ネームカード等）を判断する。
さらに、メッセージ分析部１０２はマルチメディアメッセージにオーディオデータが添付されたことを確認した場合、オーディオファイルに対する試し聴きファイル、ファイル名などを代表情報として使用する。
【００２２】
ファイルリスト生成部１０４は制御部１００の制御を受けてメッセージ分析部１０２によって獲得された添付ファイル又は添付ファイルに対する代表情報を管理処理する。
この時、ファイルリスト生成部１０４は受信メッセージに対する添付ファイル（又は代表情報）と発信メッセージに対する添付ファイル（又は代表情報）とを区分してリストを生成するか、又は、受発信メッセージに対する添付ファイル（又は代表情報）に対して１つのリストを生成する。
【００２３】
さらに、ファイルリスト生成部１０４は添付ファイルの形式に応じて添付ファイル（又は代表情報）をグループ化できる。即ち、ファイルリスト生成部１０４は獲得された添付ファイル（又は代表情報）のうち画像ビューアを介して出力できる画像データに対する添付ファイル（又は代表情報）を分類してグループ化した後、これを写真アルバムに別途保管でき、メディアプレーヤを介して再生可能な動画又はオーディオデータに対する添付ファイル（又は代表情報）を分類してグループ化した後、これを再生リストに別途保管できる。
【００２４】
前記メッセージ分析部１０２及びファイルリスト生成部１０４の動作はメモリ部１０６に保存されている特定のソフトウェアモジュール（命令語セット）によって実行される。
メモリ部１０６はＲＯＭ、ＲＡＭ、フラッシュＲＯＭで構成される。ＲＯＭは制御部１００、メッセージ分析部１０２、ファイルリスト生成部１０４の処理及び制御のためのプログラムのマイクロコードと各種参照データを格納する。
【００２５】
ＲＡＭは制御部１００のワーキングメモリであり、各種プログラム遂行中に発生する一時的なデータを格納する。また、フラッシュＲＯＭは電話帳、発信メッセージ及び受信メッセージのような更新可能な各種保管用データを格納する。さらに、メモリ部１０６は本発明によってメッセージ分析部１０２によって獲得される添付ファイル（又は代表情報）を格納する。
【００２６】
メモリ部１０６は本発明によって制御部１００、メッセージ分析部１０２及びファイルリスト生成部１０４の動作を行うようにソフトウェアモジュールを格納する。
【００２７】
入力部１０８は０〜９の数字キーボタン、メニューボタン、キャンセルボタン、確認ボタン、通話ボタン、終了ボタン、インターネット接続ボタン、ナビゲーションキー（又は方向キー）ボタン及び文字入力キーなど複数のファンクションキーを備え、ユーザが押したキーに対応するキー入力データを制御部１００に提供する。さらに、入力部１０８は本発明によってリスト化された添付ファイル（又は代表情報）の選択のためのキー入力データを制御部１００に提供する。
【００２８】
表示部１１０は携帯端末の動作中に発生する状態情報、ショートメッセージ、多量の動画及び静止画像などを表示するものであり、本発明によってメッセージに含まれたデータのうち自らに許容されたフレームに該当するデータのみを表示する。表示部１１０はカラー液晶ディスプレイ装置（ＬＣＤ）、ＡＭＯＬＥＤなどを使用することができ、表示部１１０はタッチ入力装置を備えてタッチ入力方式の携帯端末に適用する場合に入力装置として使用することができ、本発明によってファイルリスト生成部１０４によって生成されたリスト（添付ファイルリスト（又は代表情報リスト））を出力する。
【００２９】
通信部１１２はアンテナ（図示せず）を介して入出力されるデータの無線信号を送受信処理する機能を行う。例えば、送信の場合、送信するデータをチャネルコーディング（Ｃｈａｎｎｅｌ  ｃｏｄｉｎｇ）及び拡散（Ｓｐｒｅａｄｉｎｇ）した後、ＲＦ処理して送信する機能を行い、受信の場合、受信されたＲＦ信号を基底帯域信号に変換して基底帯域信号を逆拡散（Ｄｅ−ｓｐｒｅａｄｉｎｇ）及びチャネル復号（Ｃｈａｎｎｅｌ  ｄｅｃｏｄｉｎｇ）してデータを復元する機能を行い、本発明によって添付ファイルが含まれたマルチメディアメッセージを送受信する。
【００３０】
メッセージ分析部１０２及びファイルリスト生成部１０４の役割は携帯端末の制御部１００によっても実行できるが、本発明でこれを別途構成して示したのは説明の便宜のための例示的な構成であって決して本発明の範囲を制限することを意図せず、当業者であれば本発明の範囲内で様々な変形構成が可能であることがわかるであろう。例えば、これらすべてを制御部１００で処理するように構成することもでき、他の実施形態として、前記制御部をプロセッサとして具現化し、メッセージ分析部１０２及びファイルリスト生成部１０４をそれぞれのプロセッサとして具現化できる。
【００３１】
図２は、本発明の好ましい一実施形態による携帯端末で予め保存されたマルチメディアメッセージの添付ファイルに対する情報をリスト化する過程を示すフローチャートである。
図２を参照すると、携帯端末は先ずステップ２０１で受信メッセージ、発信メッセージ、保管メッセージが保存されているメッセージ保管箱を確認した後、ステップ２０３に進んでメッセージ保管箱にマルチメディアメッセージが存在するかを確認する。即ち、ステップ２０３は携帯端末のユーザが受信又は発信したＭＭＳメッセージがメッセージ保管箱に保存されているかを確認するステップである。
【００３２】
もし、ステップ２０３でメッセージ保管箱にＭＭＳメッセージが存在しないことを確認した場合、携帯端末は本アルゴリズムを終了する。
一方、ステップ２０３でメッセージ保管箱にＭＭＳメッセージが存在することを確認した場合、携帯端末はステップ２０５に進んでメッセージ保管箱に保存されたＭＭＳメッセージのヘッダ情報を分析した後、ステップ２０７に進んで添付ファイルの形式を把握する。一般に、ＭＭＳメッセージのヘッダはメッセージタイトルフィールド、発信者番号フィールド、受信者数フィールド、受信者情報フィールド、コンテンツタイプフィールド、コンテンツ長さフィールドなどを含み、本発明による携帯端末はコンテンツタイプフィールドを確認してマルチメディアメッセージに含まれた添付ファイルの形式（オーディオファイル、ビデオファイル、画像ファイル、ネームカードなど）を確認する。
【００３３】
その後、携帯端末はステップ２０９で添付ファイルを代表する代表情報を抽出した後、ステップ２１１に進んで抽出した代表情報を用いて添付ファイルリストを生成する。携帯端末は代表情報の代わりに添付ファイルそのものをリスト化できることは無論である。
【００３４】
ここで、代表情報はリスト化しようとする添付ファイルに対する情報であり、添付ファイル名、添付ファイルの画像、メッセージタイトル、要約説明、プレビューファイルなどの全部又は一部を含み、携帯端末は例えばオーディオファイルに対しては、試し聴きファイル、ファイル名などを代表情報として使用できる。
【００３５】
さらに、携帯端末はビデオファイルに対するプレビューファイル、ファイル名、キャプチャ画面などを代表情報として使用でき、画像ファイルに対してキャプチャ画像、ファイル名などを代表情報として使用できる。
さらに、携帯端末はネームカードに対するキャプチャ画像、ネームカードの要約情報を代表情報として使用できる。
【００３６】
その後、携帯端末はステップ２１３に進んで添付ファイルリストを出力する。この時、携帯端末は受信メッセージの添付ファイルリストと発信メッセージの添付ファイルリストとを区分して出力するか、又は、受発信メッセージの添付ファイルを１つのリストに生成して出力する。
その後、携帯端末は本アルゴリズムを終了する。
【００３７】
図３は、本発明の他の好ましい実施形態による携帯端末で受信メッセージに対する添付ファイル情報をリスト化する過程を示すフローチャートである。
図３を参照すると、携帯端末は先ずステップ３０１でマルチメディアメッセージを受信したかを確認する。
もし、ステップ３０１でＭＭＳメッセージを受信していないことを確認した場合、携帯端末はステップ３１１に進んで該当機能（例えば、待ち受けモード）を行う。
【００３８】
一方、ステップ３０１でＭＭＳメッセージを受信したことを確認した場合、携帯端末はステップ３０３に進んで受信したＭＭＳメッセージのヘッダ情報を分析した後、ステップ３０５に進んで添付ファイルの形式を把握する。この時、携帯端末は上述のようにＭＭＳメッセージのヘッダのうちコンテンツタイプフィールドを確認してオーディオファイル、ビデオファイル、画像ファイル、ネームカードなどが添付されているかを確認する。
【００３９】
その後、携帯端末はステップ３０７に進んで添付ファイルを代表する代表情報を抽出した後、ステップ３０９に進んでＭＭＳメッセージに対する代表情報を添付ファイルリストに追加して添付ファイルリストを更新するように処理する。ここで、添付ファイルリストはマルチメディアメッセージに含まれた添付ファイル又は添付ファイルに対する代表情報リストをいう。
その後、携帯端末は本アルゴリズムを終了する。
【００４０】
図４は、本発明のさらに他の好ましい実施形態による携帯端末で添付ファイルに対する代表情報をリスト化する過程を示すフローチャートである。
図４を参照すると、携帯端末は先ずステップ４０１で受信したマルチメディアメッセージのヘッダ情報を分析した後、ステップ４０３に進んでＭＭＳメッセージに添付ファイルが存在するかを確認する。ここで、ＭＭＳメッセージは、発信者が追加した添付ファイルを含むか、又は、添付ファイルの代わりに長文のテキストデータを含むメッセージである。
【００４１】
もし、ステップ４０３でＭＭＳメッセージに添付ファイルが存在しないことを確認した場合、携帯端末はステップ４０５に進んでメッセージのタイトルを獲得してＭＭＳメッセージに対する代表情報として使用するか、又は、添付ファイルが含まれないマルチメディアメッセージに対して代表情報を生成しない。
【００４２】
一方、ステップ４０３でＭＭＳメッセージに添付ファイルが存在することを確認した場合、携帯端末はステップ４０９、ステップ４１３、ステップ４１７のようにＭＭＳメッセージに添付された添付ファイルの種類を確認して添付ファイルに対する代表情報を設定する。以下の説明では本発明の好ましい一実施形態による代表情報の設定方法として本発明の以下に述べた情報以外に、他の情報を代表情報として使用することができる。
【００４３】
もし、ステップ４０９でＭＭＳメッセージにオーディオデータが添付されていることを確認した場合、携帯端末はステップ４１１に進んで添付ファイルであるオーディオデータのファイル名を獲得してＭＭＳメッセージに対する代表情報として使用する。
【００４４】
また、ステップ４１３でＭＭＳメッセージに画像データが添付されていることを確認した場合、携帯端末はステップ４１５に進んで添付ファイルである画像データのサムネイルを獲得してＭＭＳメッセージに対する代表情報として使用する。
【００４５】
さらに、ステップ４１７でＭＭＳメッセージに動画データが添付されていることを確認した場合、携帯端末はステップ４１９に進んで添付ファイルである動画データのキャプチャ画面を獲得してＭＭＳメッセージに対する代表情報として使用する。
【００４６】
前記ステップ４０５、ステップ４１１、ステップ４１５及びステップ４１９のように代表情報を獲得した携帯端末は、ステップ４０７に進んで代表情報を用いて添付ファイルリストを生成する。
【００４７】
図４では受信したＭＭＳメッセージの添付ファイルリストを生成する方法に対して説明したが、本発明によれば発信したＭＭＳメッセージの添付ファイルリストも同様に生成できる。
【００４８】
図５は、本発明の好ましい一実施形態による携帯端末でマルチメディアメッセージの添付ファイル情報をリスト化する過程を示す図である。
図５を参照すると、携帯端末は参照符号（ａ）に示すように、受信又は発信メッセージを保存するメッセージ保管箱５０１を含む。さらに、本発明によるメッセージ保管箱５０１はＭＭＳメッセージに含まれた添付ファイルの情報である代表情報を保存する保管箱を含む。ここで、代表情報はＭＭＳメッセージに含まれた画像データ、動画データ、オーディオデータ、ネームカードなどの添付ファイルのファイル名、添付ファイルの画像、メッセージタイトル、要約説明、プレビューファイルなどの全部又は一部である。
【００４９】
添付ファイル情報のリストを生成するために、携帯端末は先ずメッセージ保管箱５０１に保存されたＭＭＳメッセージを確認し、保存されたＭＭＳメッセージのヘッダ情報を分析する。
即ち、携帯端末は例えば、参照符号（ｂ）に示すように保存された３個のＭＭＳメッセージ５０３、５０５、５０７を確認する。この時、ＭＭＳメッセージのヘッダ情報はメッセージのタイトル５０９、メッセージに添付された添付ファイルの形式５１１、添付ファイルに対する情報５１３を含む。
【００５０】
ＭＭＳメッセージ５０３は「ＧＯＯＤ！」というタイトルを有し、画像データ５１３を添付ファイルとして含み、ＭＭＳメッセージ５０５は「Ｓｏｎｇ！」というタイトルを有し「ｈｉｔ  ｓｏｎｇ」というオーディオデータを添付ファイルとして含む。
【００５１】
さらに、ＭＭＳメッセージ５０７は「Ｒｅｐｏｒｔ」をタイトルとして有し、別途の添付ファイルは含まず長文のテキストで構成されている。
【００５２】
これにより、携帯端末はＭＭＳメッセージ５０３に対する代表情報として画像データのサムネイルを獲得し、ＭＭＳメッセージ５０５に対する代表情報としてオーディオデータのファイル名を獲得する。さらに、携帯端末はＭＭＳメッセージ５０７に対する代表情報としてメッセージタイトルを獲得する。
【００５３】
その後、携帯端末は参照符号（ｃ）に示すように、それぞれのＭＭＳメッセージから獲得した代表情報をリスト化して出力するよう処理する（符号５１５参照）。即ち、携帯端末はＭＭＳメッセージ５０３に含まれた画像ファイルに対するサムネイル、ＭＭＳメッセージ５０５に含まれたオーディオデータに対するファイル名、ＭＭＳメッセージ５０７のメッセージタイトルを別途のリストとして提供する。
【００５４】
図６は、本発明の他の好ましい実施形態による携帯端末でマルチメディアメッセージの添付ファイル情報を更新する過程を示す図である。
図６を参照すると、ＭＭＳメッセージの添付ファイル情報の更新は、ＭＭＳメッセージを受信する時点毎に添付ファイルに対する代表情報を獲得してリストに追加する過程を意味する。
【００５５】
先ず、携帯端末は代表情報をリスト化した後、ＭＭＳメッセージを受信したと仮定する。
即ち、携帯端末は例えば参照符号（ａ）に示すように、動画ファイルが添付されているＭＭＳメッセージを受信した場合（符号６０１参照）、受信したＭＭＳメッセージに対する代表情報として、キャプチャ画像、メッセージのタイトル、添付ファイルのファイル名のうち少なくともいずれか１つの情報を獲得する。
【００５６】
もし、キャプチャ画面を代表情報として獲得したと仮定する場合、携帯端末は図６の参照符号（ｂ）に示すように、既に生成してある代表情報のリストに新しく受信したＭＭＳメッセージに対する代表情報を追加する（符号６０５参照）。これに伴い、代表情報リストの個数も更新する（符号６０３参照）。これは参照符号（ｂ）に図示されている。
【００５７】
図７は、本発明のさらに他の好ましい実施形態による携帯端末で代表情報を制御する過程を示す図である。
図７を参照すると、携帯端末は先ず参照符号（ａ）に示すように、４個の代表情報をリスト化して出力している（符号７０１参照）。ここで、代表情報は携帯端末に保存されたマルチメディアメッセージに含まれた添付ファイルに対する情報を意味し、携帯端末は画像データに対するサムネイル情報、オーディオデータに対する試し聴き情報、ネームカードに対する要約情報、動画データに対するプレビュー情報を代表情報として保存している。
【００５８】
もし、携帯端末のユーザから代表情報のうち画像データに対する代表情報が選択されたことを確認した場合、携帯端末は参照符号（ｂ）に示すように、画像ビューアを実行した後、画像データに対するサムネイルを出力する（符号７０３参照）。
【００５９】
さらに、携帯端末のユーザから代表情報のうちオーディオデータに対する試し聴き情報が選択されたことを確認した場合、携帯端末は参照符号（ｃ）に示すように、メディアプレーヤを実行した後、試し聴きデータを再生する（符号７０５参照）。
【００６０】
さらに、携帯端末のユーザから代表情報のうちネームカードに対する要約情報が選択されたことを確認した場合、携帯端末は参照符号（ｄ）に示すように、アドレス帳機能を活性化した後、ネームカードに対するユーザ情報をアドレス帳に登録する（符号７０７参照）。
【００６１】
図８は、本発明のさらに他の好ましい実施形態による携帯端末でマルチメディアメッセージに対する代表情報をグループ化する過程を示す図である。
図８を参照すると、携帯端末は予め保存されたＭＭＳメッセージに含まれた添付ファイルの情報である代表情報をリスト化して出力する。
【００６２】
本発明による携帯端末はメッセージ保管箱に受信メッセージ又は発信メッセージに対する代表情報をグループ化して管理する。これはメッセージ処理形式に応じて代表情報をグループ化することであって、下記図９で説明する。
【００６３】
さらに、携帯端末は添付ファイルの形式に応じて代表情報をグループ化できる。即ち、携帯端末は参照符号（ａ）に示すように、獲得した代表情報のうち画像ビューアを介して出力できる画像データに対する代表情報を分類してグループ化した後、これを写真アルバムに別途保管し（符号８０１参照）、参照符号（ｂ）に示すように、メディアプレーヤを介して再生できる動画又はオーディオデータに対する代表情報を分類してグループ化した後、これを再生リストに別途保管する（符号８０３参照）。
【００６４】
図９は、本発明のさらに他の好ましい実施形態による携帯端末でマルチメディアメッセージに対する代表情報をグループ化する過程を示す図である。
図９を参照すると、携帯端末は予め保存されたＭＭＳメッセージに含まれた添付ファイルの情報である代表情報をリスト化して出力する。
【００６５】
この時、携帯端末はメッセージ保管箱を用いて獲得した代表情報を管理する。
即ち、携帯端末は参照符号（ａ）に示すように、受信メッセージ、発信メッセージ、保管メッセージを管理するメッセージ保管箱に、ＭＭＳ代表情報を保存するメニュー（保管箱）を生成した後、予め保存されたＭＭＳメッセージの添付ファイルに対する情報を保存する（符号９０１参照）。
【００６６】
一例として、携帯端末はＭＭＳ代表情報メニューに発信メッセージに含まれた添付ファイルに対する代表情報と受信メッセージに含まれた添付ファイルに対する代表情報とを区分して管理し、例えば参照符号（ｂ）は、ＭＭＳ代表情報メニューに１０個の代表情報が含まれており、該１０個の代表情報は６個の発信メッセージに対する代表情報９０３と４個の受信メッセージに対する代表情報９０５に区分されている場合を示す。
【００６７】
図１０は、本発明のさらに他の好ましい実施形態による携帯端末で発信メッセージに対する添付ファイル情報をリスト化する過程を示すフローチャートである。
図１０を参照すると、携帯端末は先ずステップ１００１で相手方に伝送するマルチメディアメッセージを作成するかを確認する。
【００６８】
もし、ステップ１００１でＭＭＳメッセージを作成しないことを確認した場合、携帯端末はステップ１０１１に進んで該当機能（例えば、待ち受けモード）を行う。
【００６９】
一方、ステップ１００１でＭＭＳメッセージを作成することを確認した場合、携帯端末はステップ１００３に進んでメッセージに含まれた添付ファイルの形式を把握した後、ステップ１００５に進んで添付ファイルを代表する代表情報を抽出する。ここで、携帯端末はユーザが添付するために選択するファイルを確認してオーディオファイル、ビデオファイル、画像ファイル、ネームカードなどのいずれが添付されるかを確認する。
【００７０】
その後、携帯端末はステップ１００７に進んで抽出した代表情報を用いて添付ファイルリストを生成した後、ステップ１００９に進んでＭＭＳメッセージに対する代表情報を添付ファイルリストに出力するように処理する。
その後、携帯端末は本アルゴリズムを終了する。
【００７１】
本発明の特許請求の範囲及び／又は明細書に記載された実施形態に係る方法は、ハードウェア、ソフトウェア、又はハードウェアとソフトウェアの組み合わせの形態で具現化される（ｉｍｐｌｅｍｅｎｔｅｄ）。
【００７２】
ソフトウェアで実施する場合、１つ以上のプログラム（ソフトウェアモジュール）を格納するコンピュータ読取可能格納媒体が提供され得る。コンピュータ読取可能格納媒体に格納される１つ以上のプログラムは、電子装置（ｄｅｖｉｃｅ）内の１つ以上のプロセッサによって実行可能に構成される（ｃｏｎｆｉｇｕｒｅｄ  ｆｏｒ  ｅｘｅｃｕｔｉｏｎ）。１つ以上のプログラムは、電子装置にとって、本発明の特許請求の範囲及び／又は明細書に記載された実施形態による方法を実行するための命令語（ｉｎｓｔｒｕｃｔｉｏｎｓ）を含む。
【００７３】
このようなプログラム（ソフトウェアモジュール、ソフトウェア）はランダムアクセスメモリ（ＲＡＭ）、フラッシュ（ｆｌａｓｈ）メモリを含む不揮発性メモリ、リードオンリーメモリ（ＲＯＭ）、電気的消去可能プログラマブルＲＯＭ（ＥＥＰＲＯＭ）、磁気ディスク格納装置）、コンパクトディスクロム（ＣＤ−ＲＯＭ）、デジタル多目的ディスク（ＤＶＤ）、又は他の形態の光学的格納装置、磁気カセットに格納される。もしくは、これらの一部又は全部の組み合わせで構成されたメモリに格納される。また、それぞれの構成メモリは複数個が含まれ得る。
【００７４】
また、このようなプログラムは携帯端末以外の一般の電子装置に対する場合にも、インターネット（Ｉｎｔｅｒｎｅｔ）、イントラネット（Ｉｎｔｒａｎｅｔ）、ＬＡＮ（Ｌｏｃａｌ  Ａｒｅａ  Ｎｅｔｗｏｒｋ）、ＷＬＡＮ（Ｗｉｄｅ  ＬＡＮ）、又はＳＡＮ（Ｓｔｏｒａｇｅ  Ａｒｅａ  Ｎｅｔｗｏｒｋ）のような通信ネットワーク、又はこれらの組み合わせで構成された通信ネットワークを介してアクセスできる取り付け可能な（ａｔｔａｃｈａｂｌｅ）格納装置に格納できる。このような格納装置は外部ポートを介して該電子装置に接続できる。
【００７５】
また、通信ネットワーク上の別途の格納装置を携帯用電子装置に接続することもできる。
一例として、１つ以上のプロセッサ、メモリ、及び前記メモリに格納されており前記１つ以上のプロセッサによって実行されるように構成される１つ以上のモジュールを含む電子装置のモジュールは、添付ファイルが含まれたメッセージから添付ファイルを獲得し、獲得した添付ファイルに対する添付ファイルリストを生成し、添付ファイルリストを出力できる。
【００７６】
さらに、前記電子装置のモジュールは、添付ファイル名、添付ファイルの画像、メッセージタイトル、要約説明、プレビューファイルのうち少なくともいずれか１つを代表情報として使用して添付ファイルリストを生成できる。
さらに、前記電子装置のモジュールは、添付ファイルリストを出力した後、ユーザの選択に応じてアプリケーションを用いて添付ファイルを実行できる。
【００７７】
さらに、前記電子装置のモジュールは、メッセージ処理形式、添付ファイル形式のうち少なくともいずれか１つを用いて添付ファイルリストを生成できる。ここで、処理形式によるメッセージは受信メッセージ、発信メッセージのうち少なくともいずれか１つを含み、添付ファイルの形式は画像データ、オーディオデータ、動画データ、ネームカードのうち少なくともいずれか１つを含み得る。
さらに、前記電子装置のモジュールは添付ファイルリストを生成した後、新しく送受信するメッセージが存在することを確認した場合、メッセージに含まれる添付ファイルを用いて添付ファイルリストを更新できる。
【００７８】
上述のように本発明はマルチメディアメッセージに含まれた添付ファイルの内容を容易に確認させるために添付ファイルに対する情報をリスト化して出力することによってユーザはマルチメディアメッセージを直接確認することなくユーザの希望する添付ファイルが保存されたメッセージを容易に把握できる。
【００７９】
一方、本発明を実施するための形態では具体的な実施形態に関して説明したが、本発明の範囲から逸脱しない限度内で様々な変形が可能であることは無論である。従って、本発明の範囲は説明された実施形態に限定されて定められてはならず、後述する特許請求の範囲のみでなくこの特許請求の範囲と均等なものによって定められるべきである。
【符号の説明】
【００８０】
１００    制御部
１０２    メッセージ分析部
１０４    ファイルリスト生成部
１０６    メモリ部
１０８    入力部
１１０    表示部
１１２    通信部
５０１    メッセージ保管箱
【図１】
0005688061.tif 000002
【図２】
0005688061.tif 000003
【図３】
0005688061.tif 000004
【図４】
0005688061.tif 000005
【図５】
0005688061.tif 000006
【図６】
0005688061.tif 000007
【図７】
0005688061.tif 000008
【図８】
0005688061.tif 000009
【図９】
0005688061.tif 000010
【図１０】
0005688061.tif 000011